(57)【要約】【課題】観察環境に応じて柔軟に画像補正を行う画像補正装置、画像補正方法、画像補正プログラム、および画像表示システムを提供する。【解決手段】画像データを受け取って該画像データに応じた画像を所定の表示画面に表示する表示装置によって画像が表示されるときに上記表示画面に環境から映り込む光を、該画像の表示に際して知得する映り込み知得部と、上記画像データに、上記知得部で知得された光の影響を打ち消す補正を施して上記表示装置に渡す補正部とを備えた。【選択図】図６
2008203732.tif 000002
【特許請求の範囲】
【請求項１】
画像データを受け取って該画像データに応じた画像を所定の表示画面に表示する表示装置によって画像が表示されるときに前記表示画面に環境から映り込む光を、該画像の表示に際して知得する映り込み知得部と、
前記画像データに、前記知得部で知得された光の影響を打ち消す補正を施して前記表示装置に渡す補正部とを備えたことを特徴とする画像補正装置。
【請求項２】
前記知得部が、環境から前記表示画面へと向かう光が前記表示部による画像表示に際して測定された測定データを取得し、その測定データと、該表示画面における光の反射率とに基づいて、該表示画面に環境から映り込む光を算出するものであることを特徴とする請求項１記載の画像補正装置。
【請求項３】
前記表示画面上の画像を観察する観察者が該画像とともに環境から感知する光を表す環境光データを取得する環境光データ取得部を備え、
前記補正部が、前記画像データに、前記知得部で知得された光の影響を打ち消す補正を施すとともに、前記環境光データが表す環境光に人間が知覚的に順応して画像を観察する色順応性の影響を打ち消す補正も施すものであることを特徴とする請求項１記載の画像補正装置。
【請求項４】
黒の画像を表した黒色画像データに従って前記表示装置が画像を表示しているときにも前記表示画面上に残る光を表した残光データを取得する残光データ取得部を備え、
前記補正部が、前記画像データに、前記知得部で知得された光の影響を打ち消す補正を施すとともに、該画像データに、前記残光データが表した光の影響を打ち消す補正も施すものであることを特徴とする請求項１記載の画像補正装置。
【請求項５】
画像データを受け取って該画像データに応じた画像を所定の表示画面に表示する表示装置によって画像が表示されるときに前記表示画面に環境から映り込む光を、該画像の表示に際して知得する映り込み知得過程と、
前記画像データに、前記知得部で知得された光の影響を打ち消す補正を施して前記表示装置に渡す補正過程とを備えたことを特徴とする画像補正方法。
【請求項６】
画像データを受け取って該画像データに応じた画像を所定の表示画面に表示する表示装置を備えたコンピュータシステムに組み込まれ、そのコンピュータシステムに、
前記表示装置によって画像が表示されるときに前記表示画面に環境から映り込む光を、該画像の表示に際して知得する映り込み知得部と、
前記画像データに、前記知得部で知得された光の影響を打ち消す補正を施して前記表示装置に渡す補正部とを構築することを特徴とする画像補正プログラム。
【請求項７】
表示画面を有する、画像データを受け取って該画像データに応じた画像を該表示画面に表示する表示装置；および
前記表示装置によって画像が表示されるときに前記表示画面に環境から映り込む光を、該画像の表示に際して知得する映り込み知得部と、前記画像データに、前記知得部で知得された光の影響を打ち消す補正を施して前記表示装置に渡す補正部とを有する画像補正装置；
を備えたことを特徴とする画像表示システム。
【請求項８】
環境から前記表示画面へと向かう光を前記表示装置による画像表示に際して測定して測定データを得る測定部を備え、
前記知得部が、前記測定部から前記測定データを取得し、その測定データと、該表示画面における光の反射率とに基づいて、該表示画面に環境から映り込む光を算出するものであることを特徴とする請求項７記載の画像表示システム。
【発明の詳細な説明】
【技術分野】
【０００１】
本発明は、表示画面に表示するための画像データに補正を施す画像補正装置、画像補正方法、画像補正プログラム、および画像表示システムに関する。
【背景技術】
【０００２】
近年、情報技術の発展とともに、電子データ化された画像データに基づいて画像情報を出力するモニタやプロジェクタ、プリンタといった画像を表示する装置が広く普及してきており、画像情報が様々な装置、メディアに出力されるようになってきている。また、デジタルカメラやスキャナなど、画像データを生成する装置も広く普及している。
【０００３】
こうした発展とともに、画像データに基づき、プリンタなどにより画像を出力する機会が、ますます増加している。画像の出力の際には、出力に先立ち、モニタなどの画像表示装置により出力対象となる画像を表示させて出力対象の画像の確認が行われることが多く、場合によっては、表示画面上の画像を見ながら、画像の色調整など、ユーザにとって好ましい画像となるように画像の調整が行われた上で画像の出力が行われる。
【０００４】
しかしながら、ユーザがモニタ上で観察したときの画像は、実際にプリンタなどで出力された画像とは色の具合が異なって見えることがある。その原因としては、例えば、周囲の照度や色度といった、画像を観察する環境の条件によって、人間が画像から受ける色合いの印象が変化することや、モニタが黒一色を表示しているときにもモニタ上に微小な光（いわゆるフレア光）が存在することを挙げることができる。最近では、モニタ上の画像の見え方を、プリンタなどで出力される画像の見え方に一致させるため、観察環境の照度や色度の変化やフレア光の影響を加味して補正してモニタに表示する画像処理装置（例えば、特許文献１参照）が提案されている。
【特許文献１】特開２００５−１１７６１２号公報
【発明の開示】
【発明が解決しようとする課題】
【０００５】
しかしながら、画像の見え方が変化する原因は、特許文献１で考慮されているような観察環境の照度や色度の変化やフレア光の影響にとどまらない。画像観察の際には、例えば、観察者など、モニタ周囲の人や物の存在も画像の見え方に影響を与えることがある。モニタ周囲の人や物といった環境要因は、画像を観察する場所が同じで観察環境の照度や色度が一定であっても、画像観察のタイミングに応じて刻一刻と変化する環境要因であり、特許文献１で考慮されている画像処理のように、こうした環境要因を無視した画像処理は、柔軟性に欠ける面が否定できない。
【０００６】
本発明は、上記事情に鑑み、観察環境に応じて柔軟に画像補正を行う画像補正装置、画像補正方法、画像補正プログラム、および画像表示システムを提供することを目的とする。
【課題を解決するための手段】
【０００７】
上記目的を達成するための本発明の画像補正装置は、
画像データを受け取って該画像データに応じた画像を所定の表示画面に表示する表示装置によって画像が表示されるときに上記表示画面に環境から映り込む光を、該画像の表示に際して知得する映り込み知得部と、
上記画像データに、上記知得部で知得された光の影響を打ち消す補正を施して上記表示装置に渡す補正部とを備えたことを特徴とする。
【０００８】
ここで、「表示に際して」とは、静止画像の表示の直前や動画像の表示中等を含み、補正対象の画像表示タイミングとは無関係なタイミングを除く意味である。
【０００９】
本発明の画像補正装置では、画像が表示されるときに表示画面に環境から映り込む光の影響が、画像の表示の際には打ち消されるので、表示される画像の観察環境が、画像観察のタイミングに応じて刻一刻と変化する環境であっても柔軟に対応できる。
【００１０】
また、本発明の画像補正装置において、「上記知得部が、環境から上記表示画面へと向かう光が上記表示部による画像表示に際して測定された測定データを取得し、その測定データと、該表示画面における光の反射率とに基づいて、該表示画面に環境から映り込む光を算出するものである」という形態は好ましい形態である。
【００１１】
画像の表示中には、実際に映り込んだ光を直接測定するのは難しいが、このような形態によれば、画像が表示されるときに表示画面に環境から映り込む光の程度を、かなり正確につかむことができる。
【００１２】
また、本発明の画像補正装置において、「上記表示画面上の画像を観察する観察者が該画像とともに環境から感知する光を表す環境光データを取得する環境光データ取得部を備え、
上記補正部が、上記画像データに、上記知得部で知得された光の影響を打ち消す補正を施すとともに、上記環境光データが表す環境光に人間が知覚的に順応して画像を観察する色順応性の影響を打ち消す補正も施すものである」という形態も好ましい形態である。
【００１３】
このような形態によれば、画像が表示されるときに表示画面に環境から映り込む光の影響の補正に加え、人間の色順応性を考慮した補正も行われるので、観察者が違和感を感じにくい画像に補正される。
【００１４】
また、本発明の画像補正装置において、「黒の画像を表した黒色画像データに従って上記表示装置が画像を表示しているときにも上記表示画面上に残る光を表した残光データを取得する残光データ取得部を備え、上記補正部が、上記画像データに、上記知得部で知得された光の影響を打ち消す補正を施すとともに、該画像データに、上記残光データが表した光の影響を打ち消す補正も施すものである」という形態も好ましい形態である。
【００１５】
このような形態によれば、画像が表示されるときに表示画面に環境から映り込む光の影響の補正に加え、表示部が黒色画像を表示しているときに表示画面上に残る光（いわゆるフレア光）の影響も補正されるので、違和感が感じられにくい画像に補正される。
【００１６】
上記目的を達成するための本発明の画像補正方法は、
画像データを受け取って該画像データに応じた画像を所定の表示画面に表示する表示装置によって画像が表示されるときに上記表示画面に環境から映り込む光を、該画像の表示に際して知得する映り込み知得過程と、
上記画像データに、上記知得部で知得された光の影響を打ち消す補正を施して上記表示装置に渡す補正過程とを備えたことを特徴とする。
【００１７】
本発明の画像補正方法では、画像が表示されるときに表示画面に環境から映り込む光の影響が、画像の表示の際には打ち消されるので、表示される画像の観察環境が、画像観察のタイミングに応じて刻一刻と変化する環境であっても柔軟に対応できる。
【００１８】
上記目的を達成するための本発明の画像補正プログラムは、
画像データを受け取って該画像データに応じた画像を所定の表示画面に表示する表示装置を備えたコンピュータシステムに組み込まれ、そのコンピュータシステムに、
上記表示装置によって画像が表示されるときに上記表示画面に環境から映り込む光を、該画像の表示に際して知得する映り込み知得部と、
上記画像データに、上記知得部で知得された光の影響を打ち消す補正を施して上記表示装置に渡す補正部とを構築することを特徴とする。
【００１９】
この本発明の画像補正プログラムをコンピュータシステム内で実行することによって、本発明の画像補正装置を容易に実現することができる。
【００２０】
なお、本発明にいう画像補正プログラムについては、ここではその基本形態のみを示すにとどめるが、これは単に重複を避けるためであり、本発明にいう画像補正プログラムには、上記の基本形態のみでなく、前述した画像補正装置の各形態に対応する各種の形態が含まれる。
【００２１】
さらに、本発明の画像補正プログラムがコンピュータシステム上に構築する補正部などといった要素は、１つの要素が１つのプログラム部品によって構築されるものであってもよく、１つの要素が複数のプログラム部品によって構築されるものであってもよく、複数の要素が１つのプログラム部品によって構築されるものであってもよい。また、これらの要素は、そのような作用を自分自身で実行するものとして構築されていてもよく、あるいは、コンピュータシステムに組み込まれている他のプログラムやプログラム部品に指示を与えて実行するものとして構築されていてもよい。
【００２２】
上記目的を達成するための本発明の画像表示システムは、
表示画面を有する、画像データを受け取って該画像データに応じた画像を該表示画面に表示する表示装置；および
上記表示装置によって画像が表示されるときに上記表示画面に環境から映り込む光を、該画像の表示に際して知得する映り込み知得部と、上記画像データに、上記知得部で知得された光の影響を打ち消す補正を施して上記表示装置に渡す補正部とを有する画像補正装置；
を備えたことを特徴とする。
【００２３】
本発明の画像表示システムは、上述した画像補正装置を備えているので、表示される画像の観察環境が、画像観察のタイミングに応じて刻一刻と変化する環境であっても柔軟に対応できる。
【００２４】
また、本発明の画像表示システムにおいて、「環境から上記表示画面へと向かう光を上記表示装置による画像表示に際して測定して測定データを得る測定部を備え、上記知得部が、上記測定部から上記測定データを取得し、その測定データと、該表示画面における光の反射率とに基づいて、該表示画面に環境から映り込む光を算出するものである」という形態も好ましい形態である。
【００２５】
このような形態によれば、測定データに基づき、画像が表示されるときに表示画面に環境から映り込む光の程度をかなり正確につかむことができる。
【発明の効果】
【００２６】
本発明によれば、観察環境に応じて柔軟に画像補正が行われる。
【発明を実施するための最良の形態】
【００２７】
以下図面を参照して本発明の実施の形態を説明する。
【００２８】
図１は、本発明の一実施形態が適用される画像表示システムの全体構成図である。
【００２９】
この画像表示システムは、パーソナルコンピュータ２０、カラープリンタ２１７０、および分光測色計４０を有しており、パーソナルコンピュータ２０に入力される画像データに基づき、画像３１を、パーソナルコンピュータ２０が有するモニタ２２上で表示するシステムである。モニタ２２上で表示された画像３１は、ユーザの指示に基づきカラープリンタ２１７０に出力され、出力画像１１が得られる。ここで、パーソナルコンピュータ２０に入力されてくる画像データは、デバイス非依存なＸＹＺの３刺激値で表された画像データ、もしくは、ＸＹＺの３刺激値に変換可能な画像データであって、一方、カラープリンタ２１７０による画像出力の際の出力設定値を表す画像データは、デバイス依存のＣ（シアン）、Ｍ（マゼンタ）、Ｙ（イエロー）、Ｋ（ブラック）の４色成分で表された画像データである。パーソナルコンピュータ２０には、カラープリンタ２１７０で出力した画像を分光測色計４０で測色したときに得られる、ＸＹＺの３刺激値で表された画像データと、その画像の出力設定値となった、ＣＭＹＫの４色成分で表された画像データとの対応関係をもとに定義した、カラープリンタ２１７０の出力特性（出力プロファイル）があらかじめ記憶されており、パーソナルコンピュータ２０は、この出力プロファイルに基づき、この画像表示システムに入力されてくるＸＹＺの画像データをＣＭＹＫの４色成分の画像データに変換して、その変換した画像データに基づき、カラープリンタ２１７０により画像１１が出力される。
【００３０】
この画像表示システムでは、モニタ２２上で表示される画像３１の見え方が、カラープリンタ２１７０から出力される画像１１の見え方と一致するように、画像処理が行われる。このような処理を実行するため、分光測色計４０により、モニタ２２によって発光される光や、モニタ２２表面で反射される光などが測定されて、その測定データに基づき、この画像表示システムに入力されてくる画像データに対して適当な画像処理が施されて画像が表示される。また、この分光測色計４０は、モニタ２２の出力プロファイルの作成の際にも用いられる。
【００３１】
ここで、この画像表示システムが、本発明の画像表示システムの一実施形態として動作し、パーソナルコンピュータ２０が、本発明の画像補正装置の一実施形態として動作する。また、モニタ２２の表示画面が、本発明にいう表示画面の一例に相当し、分光測色計４０が、本発明にいう測定部の一例に相当する。
【００３２】
なお、この画像表示システムに入力されてくる画像データは、他のモニタ、スキャナやデジタルカメラなど様々な装置からそれぞれの装置のプロファイルを使用して得た画像データであってもよいし、あるいは、単に色空間上で定義された画像データであってもよい。
【００３３】
また、ここでは、この画像表示システムに入力されてくる画像データは、ＸＹＺの画像データであるとして説明するが、これは一例であって、例えば、Ｌａｂの画像データやＬｕｖの画像データであってもよく、プロファイルつきのＲＧＢ画像データやＣＭＹＫ画像データからＸＹＺ等に変換された画像データであっても良い。また、ＣＭＹＫの画像データに基づいて画像を出力するカラープリンタ２１７０の代わりに、他の種類の画像データに基づいて画像を出力するカラープリンタを採用することも可能である。
【００３４】
以下、分光測色計４０とパーソナルコンピュータ２０について詳しく説明する。
【００３５】
図２は、図１に示す分光測色計４０およびパーソナルコンピュータ２０の外観斜視図であり、図３は、そのパーソナルコンピュータ２０のハードウェア構成図である。
【００３６】
分光測色計４０では、その底面に位置するセンサ部４０ａが測色対象に向けられることで、測色対象からの光が測定される。そこで、ユーザは、このセンサ部４０ａをモニタ２２上の画像や、図１のカラープリンタ２１７０から出力された画像に向けることで、各画像の測色を行うことができる。図２では、モニタの出力プロファイルの作成の際に、モニタ２２の表示画面２２ａ上に表示される、カラーパッチ３２ａを有するチャート３２が示されている。モニタ２２の出力プロファイルの作成の際には、モニタ２２の面内の位置によって測色結果にむらが生じることを避けるために、モニタ２２上の同一箇所に単色のカラーパッチ３２ａが、順次、色を変えて表示されていき、それぞれ分光測色計４０により測色されていく。これら複数種類の色についての測色結果から、モニタ２２の出力プロファイルの作成に必要な測色データが得られる。得られた測色データは、ケーブル４１を経由してパーソナルコンピュータ２０に入力される。
【００３７】
パーソナルコンピュータ２０は、外観構成上、本体装置２１、モニタ２２、本体装置２１に対してキー操作に応じた各種の情報を入力するキーボード２３、および、モニタ２２が有する表示画面２２ａ上の任意の位置を指定することにより、その位置に表示された、例えばアイコン等に応じた指示を入力するマウス２４を備えている。この本体装置２１は、外観上、フレキシブルディスク（ＦＤ）を装填するためのＦＤ装填口２１ａ、およびＣＤ−ＲＯＭを装填するためのＣＤ−ＲＯＭ装填口２１ｂを有する。
【００３８】
本体装置２１の内部には、図３に示すように、各種プログラムを実行するＣＰＵ２１１、ハードディスク装置２１３に格納されたプログラムが読み出されＣＰＵ２１１での実行のために展開される主メモリ２１２、各種プログラムやデータ等が保存されたハードディスク装置２１３、フレキシブルディスク５０が装填されその装填されたフレキシブルディスク５０をアクセスするＦＤドライブ２１４、ＣＤ−ＲＯＭ５１が装填され、その装填されたＣＤ−ＲＯＭ５１をアクセスするＣＤ−ＲＯＭドライブ２１５が内蔵されている。また、
図１に示すように、画像データの入力を受けたり、図１のカラープリンタ２１７０に画像データを送ったりするための入出力インタフェース２１６も内蔵されている。この入出力インタフェース２１６を通じて、図１および図２に示す分光測色計４０から測色データの受け取りも行われる。以上説明した、本体装置２１の内部の各種要素と、さらに、図３にも示すモニタ２２、キーボード２３、マウス２４は、バス２５を介して相互に接続されている。
【００３９】
次に本発明の画像補正プログラムの一実施形態について説明する。
【００４０】
本発明の画像補正プログラムの一実施形態が、例えばＣＤ−ＲＯＭ５１に記憶されている場合には、このＣＤ−ＲＯＭ５１がＣＤ−ＲＯＭ装填口２１ｂから本体装置２１内に装填されると、そのＣＤ−ＲＯＭ５１に記憶された画像補正プログラムがＣＤ−ＲＯＭドライブ２１５によりこのパーソナルコンピュータ２０のハードディスク装置２１３内にインストールされる。そして、このハードディスク装置２１３内にインストールされた画像補正プログラムが起動されると、このパーソナルコンピュータ２０は、本発明の画像補正装置の一実施形態として動作する。
【００４１】
図４は、本発明の画像補正プログラムの一実施形態を示す図である。
【００４２】
ここでは、この画像補正プログラム６０は、ＣＤ−ＲＯＭ５１に記憶されている。なお、本発明にいう画像補正プログラム６０が記憶される記憶媒体としては、図４に示すＣＤ−ＲＯＭ５１のみならず、図３に示すハードディスク装置２１３やＦＤ２１４０、図３および図４には不図示のＤＶＤやＭＯ等といった種々の記憶媒体が採用されうる。
【００４３】
この画像補正プログラム６０は、図２および図３に示すパーソナルコンピュータ２０内で実行され、上述したように、そのパーソナルコンピュータ２０を本発明の一実施形態として動作させるものであり、順応変換部６１、フレア補正部６２、および観察者補正部６３を有している。
【００４４】
この画像補正プログラム６０の各要素の詳細な内容については後述する。
【００４５】
図５は、図２および図３に示すパーソナルコンピュータを本発明の画像補正装置の一実施形態として動作させるためにこのパーソナルコンピュータ上に構築される要素と、それらの要素による作用の概略を表す図である。
【００４６】
図４に示す画像補正プログラム６０が図２および図３に示すパーソナルコンピュータ２０にインストールされると、図５に示す順応変換部７１、フレア補正部７２、および観察者補正部７３の各要素がパーソナルコンピュータ２０上に構築される。これらの要素によって、パーソナルコンピュータ２０が本発明の画像補正装置の一実施形態として動作する。順応変換部７１、フレア補正部７２、および観察者補正部７３は、図４に示す画像補正プログラム６０における、順応変換部６１、フレア補正部６２、および観察者補正部６３それぞれによってパーソナルコンピュータ２０上に構築されるものである。従って図４の各要素は図５の各要素に対応するが、この図５の各要素は、図２および図３に示すパーソナルコンピュータ２０のハードウェアとそのパーソナルコンピュータ２０で実行されるＯＳやアプリケーションプログラムとの組合せで構成されているのに対し、図４に示す画像補正プログラム６０の各要素はそれらのうちのアプリケーションプログラムのみにより構成されている点が異なる。以下では、図５に示す各要素と、各要素による作用の概略について説明する。
【００４７】
順応変換部７１には、図１のカラープリンタ２１７０から出力され、モニタ２２にとって色再現の目標（ターゲット）となる画像（以下、ターゲット画像と呼ぶ）を人間が観察するときの 観察環境を表したターゲット観察環境データと、ターゲット画像を表した画像データであるターゲット測色値と、モニタ２２上で画像観察が行われるときの観察環境を表したモニタ観察環境データとが入力される。順応変換部７１は、ターゲット観察環境データとモニタ観察環境データとに基づいて、モニタ２２上に表示される画像の色合いが、ターゲット画像の色合いと比べて違和感を与えない色合いとなるように、ターゲット測色値を、モニタ観察環境に適した色合いの画像の測色値である再現画像目標測色値に変換する。フレア補正部７２には、順応変換部７１から再現画像目標測色値が入力されるとともに、モニタが黒一色を表示しているときにもモニタ上に存在する微小な光（いわゆるフレア光）の量を表したフレアデータも入力される。フレア補正部７２は、フレアデータに基づき、再現画像目標測色値からフレア光の影響を除去する補正を行う。観察者補正部７３には、フレア補正部７２による補正が施された測色値と、モニタ分光反射率データと、観察者からモニタ２２の表示画面に向かって発せられた光の程度を表した観察者光データとが入力され、観察者補正部７３は、モニタ分光反射率データと観察者光データとに基づいて、フレア補正後の再現画像目標測色値に対し、観察者からモニタ２２上に向かって発せられモニタ２２上で反射した光の影響を除去する補正を行う。
【００４８】
ここで、ターゲット観察環境データとモニタ観察環境データとを取得するときの順応変換部６１が、本発明にいう環境光データ取得部の一例に相当し、フレアデータを取得するときのフレア補正部７２が、本発明にいう残光データ取得部の一例に相当し、観察者光データを取得するときの観察者補正部７３が、本発明にいう映り込み知得部の一例に相当する。また、ターゲット測色値を再現画像目標測色値に変換するときの順応変換部６１と、再現画像目標測色値からフレア光の影響を除去するときのフレア補正部７２と、観察者からの光の影響を除去するときの観察者補正部７３とを合わせたものが、本発明にいう補正部の一例に相当する。
【００４９】
順応変換部７１、フレア補正部７２、および観察者補正部７３が、それぞれ行う上記の処理を実行するに先立ち、ユーザにより、あらかじめ、これらの処理に必要な、図２に示すモニタ２２の出力特性を表したプロファイルや、上述した、ターゲット観察環境データ、モニタ観察環境データ、フレアデータ、およびモニタ分光反射率データが作成される。
【００５０】
モニタ２２のプロファイル作成とは、図２において説明したように順次、色を変えて表示されていくカラーパッチ３２ａの色を、Ｒ（レッド）、Ｇ（グリーン）、Ｂ（ブルー）の３原色の量の組み合わせとして表した出力設定値と、その出力設定値で実際にカラーパッチ３２ａがモニタ２２上に表示されたときにそのカラーパッチ３２ａを、図２に示す測色計４０で測色して得られるＸＹＺの３刺激値とを、３原色の量の様々な組み合わせについて対応づけたマトリックス、および、ルックアップテーブルを作成することである。
【００５１】
また、ターゲット観察環境データとは、具体的には、ターゲット画像を人間が観察するときの観察環境と同一の環境下において、白色の基準（基準白色）を与える標準白色板が測色されることで得られるＸＹＺの３刺激値のデータのことである。モニタ観察環境データとは、白一色の白色画像が、モニタ２２上でターゲット画像を人間が観察するときの観察環境と同一の環境下においてモニタ２２上で表示されたときに、その表示されている白色画像を測色計４０で測色することで得られるＸＹＺの３刺激値のことである。このように、それぞれの観察環境で白色画像を測色することにより、観察環境の明るさに関する情報が得られる。
【００５２】
フレアデータとは、具体的には、モニタ２２に黒一色を表示させたときに、その表示画面を図２に示す分光測色計４０で測色して得られるＸＹＺの３刺激値のデータを指している。モニタ２２が黒一色を表示しているときにもモニタ上に存在する微小な光の影響によって、モニタ２２上に表示される画像の測色値がどの程度ずれるかが、このフレアデータによって表される。
【００５３】
モニタ分光反射率データは、モニタの分光反射率の測定によって得られるデータである。モニタ分光反射率の測定では、モニタ２２の電源を落とした状態でモニタ２２の表示画面２２ａの中央部を含めた数カ所についての分光反射率（波長（λ）ごとの反射率）が図２の分光測色計４０によって測定される。そして、それら測定された測色値から、平均的な分光反射率Ｒ（λ）が算出される。
【００５４】
次に、図５の各部が行う画像補正処理の詳細について説明する。
【００５５】
図６は、図５の各部が行う画像処理の内容を表すフローチャート図である。
【００５６】
まず最初に、図５の順応変換部７１が、上述の、モニタ２２のプロファイル、ターゲット観察環境データ、およびモニタ観察環境データを取得し、フレア補正部７２が、上述のフレアデータを取得し、観察者補正部７３が、上述のモニタ分光反射率を取得する（ステップＳ１）。
【００５７】
図５の順応変換部７１では、ターゲット観察環境データおよびモニタ観察環境データからｖｏｎＫｒｉｅｓ変換によりターゲット測色値をモニタで再現すべき３刺激値（再現目標測色値）を得ることができる（ステップＳ２）。ｖｏｎＫｒｉｅｓ変換はターゲット観察環境のＸＹＺの３刺激値ＸＹＺ１とモニタ観察環境の３刺激値ＸＹＺ２が与えられたとき、以下のステップで変換される。
１．以下のｖｏｎＫｒｉｅｓマトリックスＤを用いて、錐体の応答値ρ１，γ１，β１，ρ２，γ２，β２を算出する。
【００５８】
【数１】
2008203732.tif 000003
【００５９】
２．モニタ観察環境に順応している観察者に対して、ターゲット観察環境に順応している観察者が観察している３刺激値ＸＹＺ１と視覚的に一致するような３刺激値ＸＹＺ２は、上記のｖｏｎＫｒｉｅｓマトリックスＤ、および、錐体の応答値、および、ｖｏｎＫｒｉｅｓマトリックスの逆行列Ｄ−１から次のように求められる。
【００６０】
【数２】
2008203732.tif 000004
【００６１】
このようにターゲット画像の各３刺激値ＸＹＺをマトリックス変換することにより、観察環境が、ターゲット画像の観察環境からモニタでの観察環境へと変化する際の、照度や色度に応じた人間の知覚の順応性を、モニタ２２上に表示される画像に適度に反映させることができる。
【００６２】
なお、順応変換部７１は、上記のような変換に加えて、ＣＩＥＣＡＭ０２（”Ａ  Ｃｏｌｏｕｒ  Ａｐｐｅａｒａｎｃｅ  Ｍｏｄｅｌ  ｆｏｒ  Ｃｏｌｏｕｒ  Ｍａｎａｇｅｍｅｎｔ  Ｓｙｓｔｅｍｓ：ＣＩＥＣＡＭ０２”，  Ｐｕｂｌｉｃａｔｏｉｎ  ＣＩＥ．１５９：２００４参照）に基づいて構成された色順応変換のように、さらに不完全順応など精度の高い色変換を行うものであってもよい。
【００６３】
順応変換が施された後の再現目標測色値は、図５のフレア補正部７２に入力される。
【００６４】
フレア補正部７２は、入力された再現目標測色値に対し、フレアデータに基づき、再現画像目標測色値からフレア光の影響を除去する補正を行う（ステップＳ３）。例えば、ＸＹＺの３刺激値のうち、Ｘ成分については、下式のように、再現画像目標測色値のＸ成分Ｘ０からフレア光のＸ成分Ｘｆを引いた、フレア補正後のＸ成分Ｘ１を得る。
Ｘ１＝Ｘ０−Ｘｆ                                                （２）
再現画像目標測色値のＹ成分およびＺ成分についても同様にしてフレア補正が行われる。フレア補正が施された後の再現画像目標測色値のデータは図５に示す観察者補正部７３に入力される。
【００６５】
観察者補正部７３は、フレア補正後の再現画像目標測色値に対し、観察者からモニタ２２上に向かって発せられモニタ２２上で反射した光の影響を除去する処理を行う処理部である。ここで、画像補正処理が行われる際には、図２に示すセンサ部４０ａが、モニタ２２の傍で、モニタ上の画像を観察する観察者に向けられた状態で設置されており、上記の観察者補正部７３は、観察者からモニタ２２に向かって発せられる光である観察者光の強度Ｓｐ（λ）のデータ（観察者光データ）をリアルタイムで取得する（ステップＳ４）。観察者補正部７３は、観察者光の強度Ｓｐ（λ）に、上述したモニタ２２の分光反射率Ｒ（λ）を乗じることで得られる反射観察者光の強度分布に基づいて、反射観察者光をＸＹＺの３刺激値で表したデータ値を算出する。そして、観察者補正部７３は、フレア補正後の再現画像目標測色値のＸＹＺそれぞれの成分の値から、反射観察者光のＸＹＺ成分の値をそれぞれ引くことで、観察者から反射される光の影響の補正を行う。例えば、ＸＹＺの３刺激値のうち、Ｘ成分については、下式のように、フレア補正後の再現画像目標測色値のＸ成分Ｘ１から反射観察者光のＸ成分Ｘｓを引くことで、反射観察者光の影響が補正されたモニタ表示測色値のＸ成分が得られる。
Ｘ２＝Ｘ１−Ｘｓ＝Ｘ０−Ｘｆ−Ｘｓ                          （３）
ここで、上記の式（３）において、Ｘ２を、Ｘ０、Ｘｆ、Ｘｓで表すにあたり、前述の式（２）を用いた。
【００６６】
再現画像目標測色値のＹ成分およびＺ成分についても同様にして反射観察者光の影響が補正される。
【００６７】
このようにして、反射観察者光の影響が補正されたモニタ表示測色値は、上述したモニタ２２のプロファイルを用いて、ＸＹＺの３刺激値からＲＧＢ値に変換される。このようにして得られたＲＧＢ値が、ターゲット画像がモニタ２２上で表示される際の出力設定値（表示測色値）として設定される（ステップＳ５）。この表示測色値が用いられることで、フレア光や反射観察者光の影響が除去され、元のターゲット画像と比べて違和感が感じられない画像がモニタ２２上に表示される。
【００６８】
以上の説明では、ターゲット画像の測色の際のフレア光や観察者光の影響については言及されていないが、一般に、ターゲット画像が印字された記録媒体に対しても、フレア光や反射観察者光が影響を与えることは起こり得ることである。このような場合には、フレア光や反射観察者光の影響が加味された測色値が、ターゲット測色値として、上述の順応変換、フレア補正および反射観察者光の補正が行われる。
【００６９】
また、以上の説明では、観察者光のスペクトル測定を行うことで波長に応じた測定結果を出力する分光測色計が採用されているが、本実施形態では、精度は落ちるが、ＸＹＺの３刺激値で測定結果を出力する測色器が採用されてもよい。
【図面の簡単な説明】
【００７０】
【図１】本発明の一実施形態が適用される画像表示システムの全体構成図である。
【図２】図１に示す分光測色計およびパーソナルコンピュータの外観斜視図である。
【図３】図２に示すパーソナルコンピュータのハードウェア構成図である。
【図４】本発明の画像補正プログラムの一実施形態を示す図である。
【図５】図２および図３に示すパーソナルコンピュータを本発明の画像補正装置の一実施形態として動作させるためにこのパーソナルコンピュータ上に構築される要素と、それらの要素による作用の概略を表す図である。
【図６】図５の各部が行う画像処理の内容を表すフローチャート図である。
【符号の説明】
【００７１】
２０  パーソナルコンピュータ
２１  本体部
２１ａ  ＦＤ装填口
２１ｂ  ＣＤ−ＲＯＭ装填口
２２  モニタ
２２ａ  表示画面
２３  キーボード
２４  マウス
２５  バス
２１１  ＣＰＵ
２１２  主メモリ
２１３  ハードディスク装置
２１４  ＦＤドライブ
５０  フレキシブルディスク（ＦＤ）
２１５  ＣＤ−ＲＯＭドライブ
５１  ＣＤ−ＲＯＭ
２１６  Ｉ／Ｏインタフェース
２１７０  カラープリンタ
１１，３１  画像
３２  チャート
３２ａ  カラーパッチ
４０  分光測色計
４０ａ  センサ部
４１  ケーブル
６０  画像補正プログラム
６１  順応変換部
６２  フレア補正部
６３  観察者補正部
７１  順応変換部
７２  フレア補正部
７３  観察者補正部
【図１】
2008203732.tif 000005
【図２】
2008203732.tif 000006
【図３】
2008203732.tif 000007
【図４】
2008203732.tif 000008
【図５】
2008203732.tif 000009
【図６】
2008203732.tif 000010